(57)【特許請求の範囲】
【請求項１】
断熱シートからなる箱本体と断熱シートからなる蓋部とが箱体を形成し、該箱体は箱本体と蓋部とを閉鎖する手段を有し、更に少なくとも２枚の断熱板が相対向する上記箱本体の側壁部の内側に取付け・取外し可能に設けられていると共に、断熱板が蓋部の内側に設けられている保温保冷容器であって、箱本体と蓋部を形成する断熱シートがアルミ蒸着シートで被覆されたポリオレフィン系樹脂発泡シートであり、蓋部はその一の端縁部分が側壁部の一の上端縁近傍部分においてヒンジ部を形成するように箱本体に接合されており、箱本体と蓋とを閉鎖する手段が箱本体外側の上端縁近傍部分と蓋部の周縁の内側部分とにおける、それぞれのヒンジ部を除く部分に設けられた鈎止ファスナーであり、少なくとも２枚の断熱板及び蓋部の内側に設けられている断熱板がポリオレフィン系樹脂発泡体であり、断熱板が蓋部の内側に形成された袋体に挿入されることによって蓋部の内側に取付け・取外し可能に設けられており、蓋部が閉じられた状態において、蓋部の内側に設けられた断熱板の周縁部分が側壁部に取付けられた断熱板の上端面と当接することを特徴とする保温保冷容器。
【請求項２】
保温剤又は冷却剤を挿入可能な空間部が上記蓋部の内側に形成された袋体に設けられていることを特徴とする請求項１記載の保温保冷容器。
【発明の詳細な説明】
【０００１】
【発明の属する技術分野】
本発明は、保冷又は保温が必要な食品等を配送するのに好適な、折り畳み可能な保温保冷容器に関する。
【０００２】
【従来の技術】
従来から、食品等を保冷又は保温した状態で配送するために使用される折り畳み可能な保温保冷容器が知られている。かかる保温保冷容器は、食品等を配送する際は内部に食品等を収納できる箱状となり、配送が済んだ後はコンパクトに折り畳んで持ち帰ることができるものである。この種の保温保冷容器として、例えば、特開平１０−２８７３７２号公報に開示されているものがある。
【０００３】
特開平１０−２８７３７２号公報の保温保冷容器５０は、図４に示すように、容器本体５１が逆Ｖ字状に折り込み可能な底部５２と、底部５２を内方に折り込んだ時に内方に折り込み可能な折り曲げ部５８を備える、相対向する一対の側壁部５３，５４と、底部５３の折り曲げ部と平行な一対の側壁部５５，５６を有するものである。
【０００４】
又、該保温保冷容器５０において、上記一対の側壁部５５，５６には断熱パネル６１，６２がそれぞれ常置されており、容器本体の折り畳み時においては断熱パネル６１に重ねられた状態で断熱パネル６３が配置されており、断熱パネル６２の垂直方向の両端縁の各々には、断熱パネル６４ａ、６４ｂ、６５ａ、６５ｂが、容器本体の折り畳み時においては屏風状に折り畳まれた状態で接続されている。
【０００５】
更に、保温保冷容器５０において、上記断熱パネル６１に重ねられて配置された断熱パネル６３は、容器を拡張して箱状になった状態において、底部５２に傾倒して底部の断熱パネルとなり、上記断熱パネル６２の垂直方向の両端縁の各々に接続している断熱パネル６４ａ、６４ｂ、６５ａ、６５ｂは、容器が折り畳まれた状態では屏風状に折り畳まれているが、容器を拡張して箱状になった状態において、側壁部５３，５４の断熱パネルとなる。
尚、図４において、７１は蓋部を、７２は蓋部に設けられた折り曲げ部を、７３及び７４は断熱パネルをそれぞれ示す。
【０００６】
【発明が解決しようとする課題】
上記保温保冷容器５０は、食品等を配送する際は箱状であるが、食品等の配送が済んだ後は折り畳むことができるので、食品等を配送するのに好適な容器である。
しかしながら、保温保冷容器５０は断熱パネルと柔軟性を有する容器本体とが一体として形成されるので、構造が複雑である上に製造工程が煩雑であって、高価であるという問題を有する。又、断熱パネル同士が接合されると共に断熱パネルと容器とが一体になっているので、断熱パネルが破損したり汚染したりした場合に、断熱パネルを交換するのは容易ではないという問題も有する。又、使用されている断熱パネルの寸法が一定であることから断熱特性も一定で、収納される物品の要求に対応させた断熱特性を選択することができないという問題を有する。即ち、断熱パネルの枚数を変えたり、厚みの異なる断熱パネルを適宜使用したりすることができないので不便である。
【０００７】
本発明は、以上説明したような従来の保温保冷容器の問題点を解決することによって、断熱板が交換可能で、収納される食品等の特性に対応して断熱板の枚数、厚みを適宜選択することができ、しかも容器の製造が簡単で安価な保温保冷容器を提供することを目的とする。
【０００８】
【課題を解決するための手段】
本発明の保温保冷容器は、断熱シートからなる箱本体と断熱シートからなる蓋部とが箱体を形成し、該箱体は箱本体と蓋部とを閉鎖する手段を有し、更に少なくとも２枚の断熱板が相対向する上記箱本体の側壁部の内側に取付け・取外し可能に設けられていると共に、断熱板が蓋部の内側に設けられている保温保冷容器であって、箱本体と蓋部を形成する断熱シートがアルミ蒸着シートで被覆されたポリオレフィン系樹脂発泡シートであり、蓋部はその一の端縁部分が側壁部の一の上端縁近傍部分においてヒンジ部を形成するように箱本体に接合されており、箱本体と蓋とを閉鎖する手段が箱本体外側の上端縁近傍部分と蓋部の周縁の内側部分とにおける、それぞれのヒンジ部を除く部分に設けられた鈎止ファスナーであり、少なくとも２枚の断熱板及び蓋部の内側に設けられている断熱板がポリオレフィン系樹脂発泡体であり、断熱板が蓋部の内側に形成された袋体に挿入されることによって蓋部の内側に取付け・取外し可能に設けられており、蓋部が閉じられた状態において、蓋部の内側に設けられた断熱板の周縁部分が側壁部に取付けられた断熱板の上端面と当接することを特徴とする。
【０００９】
本発明の保温保冷容器においては、保温剤又は冷却剤を挿入可能な空間部が上記蓋部の内側に形成された袋体に設けられていることが好ましい。
【００１０】
【発明の実施の形態】
以下、本発明を図面に基き詳細に説明する。
図１は本発明における箱体の斜視図、図２は本発明の保温保冷容器の一例を示す斜視図、図３は図２のIII−III線に沿う縦断面図である。
図１、図２、図３において、１は保温保冷容器を、２は箱本体を、３は箱本体の底部を、４，５，６，７は箱本体の側壁部を、８は蓋部を、９は蓋部８の張出部を、１０は蓋部８と箱本体２で形成される箱体を、１４は蓋部８が側壁部５に接合されている上端縁近傍部分のヒンジ部を、１５ａ、１５ｂは鈎止ファスナーをそれぞれ示す。又、図２、図３において、１６，１７，１８，１９はそれぞれ側壁部４〜７に取付け・取外し可能に設けられている断熱板を、２０は底部に取付け・取外し可能に設けられた断熱板を、２１は蓋部８の内側に設けられた断熱板を、２２は断熱板２１が挿入されている袋体を、２３は袋体２２に取付けられた保温剤又は冷却剤を挿入可能な袋体を、２６は持運び用の把手を、２７は持運び用の吊下げ帯をそれぞれ示す。
【００１１】
本発明の保温保冷容器１においては、図１に示すように、断熱シートからなる箱本体２と断熱シートからなる蓋部とが箱体１０を形成し、箱本体２は底部３と４つの側壁部４，５，６，７とを有する。このように箱体１０は断熱シートを用いて形成されているので、箱本体２と蓋部８からなる箱体１０そのものが断熱性を有する。
【００１２】
上記蓋部８は、その一の端縁部分が側壁部の一の上端縁近傍部分、例えば側壁部５の上端縁近傍部分においてヒンジ部１４を形成するように箱本体２に接合されている。このように蓋部８が側壁部５の上端縁近傍部分のヒンジ部１４において接合されていると、蓋部８をヒンジ部１４を中心として回転させることにより容易に開閉することができる。ヒンジ部１４は、蓋部８に張出部９を設け、該張出部９と側壁部５とを縫製することによって形成することが好ましいが、接着剤を用いて接合すること等もできる。又、図１、図２、図３に示す態様においては、蓋部８の張出部９が側壁部５の外側と重なるように接合されているが、本発明においては蓋部８の一の端縁部分と側壁部５の上端縁部分が連接するように、布材等を用いて接合することもできる。
【００１３】
尚、本発明における箱体１０の大きさに制限はないが、通常は幅３００〜７００ｍｍ、縦２００〜６００ｍｍ、高さ２００〜６００ｍｍ、容量１２〜２５０Ｌである。
【００１４】
上記箱本体２と蓋部８を形成する断熱シートとしては、断熱性を有すると共に柔軟性に優れるポリオレフィン系樹脂発泡シートを芯材として使用する。又、汚れにくく強度に優れたものとするために断熱シートをアルミ蒸着シートで被覆する。芯材として耐熱性に優れるポリプロピレン系樹脂発泡シートを使用することが好ましい。又、断熱シートを合成樹脂フィルムのクロスで積層し、更にその上からポリエチレンテレフタレートフィルム等のアルミ蒸着シートで被覆することが好ましい。
【００１５】
上記ポリオレフィン系樹脂発泡シートの厚みは、１〜６ｍｍのものを使用することが好ましい。又、ポリオレフィン系樹脂発泡シートの発泡倍率は、断熱性に優れると共に箱体１０を形成するのに充分な強度を有するという点から、１０倍〜５０倍であることが好ましい。
【００１６】
上記箱本体２と蓋部８によって形成される箱体１０は、箱本体２と蓋部８とを閉鎖する手段を有する。該閉鎖手段は、箱本体２外側の上端縁近傍部分と蓋部８の周縁の内側部分における、それぞれのヒンジ部１４を除く部分に鈎止ファスナーを設ける。具体的には、図１、図２、図３に示すように、側壁部４，６，７の外側の上端縁近傍部分に鈎止ファスナー１５ａを設け、蓋部８の周縁に形成された張出部９の内側に鈎止ファスナー１５ｂを設けることが好ましい。このような閉鎖手段が設けられている箱体１０は、容易に閉鎖し開放することができる。尚、本明細書における鈎止ファスナーとは通称マジックファスナー（登録商標）と呼ばれているものをいう。
【００１７】
但し、本発明における箱体を閉鎖する手段は、鈎止ファスナーのみを用いるものに限定するものではなく、箱本体２の上部側周縁部分と蓋部８の周縁部分のそれぞれにチャック式ファスナーを取付けることにより、蓋部８の一の端縁部分と側壁部５の上端縁部分とが連接するように接合することもできる。
【００１８】
本発明の保温保冷容器１の箱本体３においては、断熱板２０が底部に取付け・取外し可能に設けられ、断熱板１６が側壁部４に、断熱板１７が側壁部５に、断熱板１８が側壁部６に、断熱板１９が側壁部７に取付け・取外し可能に設けられている。尚、箱本体３の底部３の内側、側壁部４，５，６，７各々の内側と断熱板１６，１７，１８，１９，２０の各々において、それぞれの対応する位置に鈎止ファスナーを設けることが（図示せず。）、断熱板をしっかりと固定できるので好ましい。
【００１９】
断熱板１６〜１９，２０が箱本体２に取付け・取外し可能に設けられていると、食品等の配送が済んだ後は断熱板を取外し、箱体１０を平面状に折り畳めば、折り畳んだ状態で持ち帰ることができる。又、狭い場所に保管しておくことも容易である。
【００２０】
本発明の保温保冷容器１においては、断熱板２１が蓋部８の内側に設けられている。断熱板２１は、蓋部８が閉じられた状態において、その周縁部分が側壁部４，５，６，７に取付けられた断熱板１６，１７，１８，１９の上端面と当接するように設けられていることが好ましい。断熱板２１と断熱板１６，１７，１８，１９とがこのように設けられていると、蓋部８が閉じられた状態において保温保冷容器１全体が堅固な構造となるので、内部に収納された食品等を十分に保護することができる。
【００２１】
蓋部８の内側に設けられている断熱板２１は、取付・取外し可能に設けられている。具体的には、図２、図３に示すように、蓋部８の内側に縫製することによって袋体２２を形成し、袋体２２の一の端面に鈎止ファスナーを用いて開閉可能に形成された挿入口（図示せず。）から挿入する等の方法により、取付・取外し可能に設けることができる。但し、本発明においては接着剤等を用いて固定した状態で断熱板を蓋部８に取付けることもできる。上記袋体２２の材料に制限はないが、ポリプロピレン、ポリエチレン等からなる合成樹脂製テープを織って形成されたクロスを使用することが好ましい。
【００２２】
図２、図３に示す態様の保温保冷容器１においては、上記のように箱本体の底部３及び４つの側壁部４，５，６，７のすべてに断熱板が取付けられているが、本発明においては少なくとも２枚の断熱板が相対向する上記側壁部の内側に取付け・取外し可能に設けられていれば良い。このような構成を採用すると、収納される食品等に対応して断熱板の枚数や厚みを選択することによって、保温保冷特性を適宜調整することができる。例えば、低度の保温保冷特性で足りる場合であれば断熱板の枚数を減らして、収納空間を大きくすることができる。また、少なくとも２枚の断熱板が相対向する上記側壁部の内側に取付けられていれば、蓋部８が閉じられた状態において、蓋部８に設けられた断熱板２１の周縁部分が側壁部に取付けられた２枚の断熱板の上端面と当接させることによって、食品等の収納物を保護するのに十分な強度とすることができる。
【００２３】
本発明において使用する断熱板１６〜１９，２０，２１は、軽量であると共に断熱性及び柔軟性に優れるポリオレフィン系樹脂発泡体である。回収が可能であることから無架橋ポリオレフィン系樹脂発泡体が好ましく、更に耐熱性に優れるという点で実質的に無架橋のポリプロピレン系樹脂発泡体がより好ましい。
【００２４】
上記断熱板１６〜１５，２０，２１の厚みに制限はないが、通常は５〜５０ｍｍである。但し、異なった厚みの断熱材を組合せて使用することができる。
尚、上記断熱材は、前記袋体２２と同様にポリプロピレン等からなる合成樹脂製テープを織って形成されたクロスで被覆することが、断熱材の破損を防ぐことができるので好ましい。
【００２５】
本発明の保温保冷容器１においては、保温剤又は冷却剤を挿入可能な空間部が蓋の内側に設けられていることが好ましい。該空間部は、例えば図２，図３に示すように、断熱板２１が挿入されている袋体２２に網状の袋体２３を縫製し、該袋体の一部に開閉閉可能な入口を設け、該入口を鈎止ファスナー等を用いて閉鎖可能とすることによって（図示せず。）設けることができる。かかる空間部に保温剤を入れておけば食品等を暖かく保つことができ、ドライアイス等の冷却剤を挿入しておけば収納された食品等を低温に保つことができる。
但し、該空間部を形成する材料は網状のものに制限されず布状のものを用いることもでき、その素材も特に制限はない。
【００２６】
本発明の保温保冷容器１には、図２に示すように、帯状の持運び用の把手２６、持運び用の吊下げ帯２７を取付けることが好ましい。持運び用の把手２６が取付けられていると、保温保冷容器１を手で持って運ぶことが容易となり、持運び用の吊下げ帯２７が取付けられていると肩に引掛けて運ぶことができる。
【００２７】
【発明の効果】
本発明の保温保冷容器は、断熱シートからなる箱本体と断熱シートからなる蓋部とからなるので、箱体そのものが断熱性を有する。又、上記箱体は箱本体と蓋部とを閉鎖する手段を有するので、食品等を収納した後に蓋部が開かないように閉鎖することができる。
【００２８】
又、本発明の保温保冷容器においては、少なくとも２枚の断熱板が相対向する上記箱本体の側壁部の内側に取付け・取外し可能に設けられていると共に、断熱板が蓋部の内側に設けられている。従って、断熱板が交換可能であると共に、食品等の収納物が要求する断熱特性に対応して断熱板の枚数や厚みを調節することができる。又、少なくとも２枚の断熱板が相対向する上記側壁部の内側に取付けられていれば、蓋部を閉めた状態で収納物を保護するのに十分な強度を有する構造となる。更に、食品等の配送が終了した後は、断熱板を取外すだけで箱体を簡単に折り畳むことができる。
【００２９】
本発明の保温保冷容器においては、箱本体と蓋部を形成する断熱シートがアルミ蒸着シートで被覆されたポリオレフィン系樹脂発泡シートであるという構成を採用すると、断熱シートが破損することを防ぎ、汚染されても容易に拭き取ることができる。
【００３０】
又、蓋部の一の端縁部分が側壁部の一の上端縁近傍部分においてヒンジ部を形成するように蓋部が箱本体に接合されているという構成を採用すると、該ヒンジ部を中心として蓋部を回転させることによって、蓋部を容易に開閉することができる。又、箱本体と蓋とを閉鎖する手段が箱本体外側の上端縁近傍部分と蓋部の周縁の内側部分とにおける、それぞれのヒンジ部を除く部分に設けられた鈎止ファスナーであるという構成を採用すると、蓋を簡単に閉鎖、開放することができる。
【００３１】
又、少なくとも２枚の断熱板及び蓋部の内側に設けられている断熱板がポリオレフィン系樹脂発泡体であるという構成を採用すると、断熱性に優れると共に柔軟性に富み、破損しにくい保温保冷容器とすることができる。また、断熱板が蓋部の内側に形成された袋体に挿入されることによって蓋部の内側に取付け・取外し可能に設けられているという構成を採用すると、蓋部の断熱板を交換することができるので便宜である。又、保温剤又は冷却剤を挿入可能な空間部が上記蓋部の内側に形成された袋体に設けられているという構成を採用すると、食品等の収納物を保温された状態、冷却された状態に容易に保つことができる。
【００３２】
又、蓋部が閉じられた状態において蓋部の内側に設けられた断熱板の周縁部分が、側壁部に取付けられた断熱板の上端面と当接するという構成を採用すると、蓋部が閉じられた状態において、食品等の収納物を保護するのに十分な強度を有する容器となる。
【図面の簡単な説明】
【図１】図１は、本発明における箱体の外観を現す斜視図である。
【図２】図２は、本発明の保温保冷容器の外観を現す斜視図である。
【図３】図３は、図２のIII−III線に沿う断面図である。
【図４】図４は、従来の保温保冷容器の一例を現す斜視図である。
【符号の説明】
１    保温保冷容器
２    箱本体
３    箱本体の底部
４    箱本体の側壁部
５    箱本体の側壁部
６    箱本体の側壁部
７    箱本体の側壁部
８    蓋部
９    蓋部の張出部
１０    箱体
１４    ヒンジ部
１５ａ  鈎止ファスナー
１５ｂ  鈎止ファスナー
１６    断熱板
１７    断熱板
１８    断熱板
１９    断熱板
２０    断熱板
２１    断熱板
２２    袋体
２３    保温剤又は冷却剤を挿入可能な袋体
【図１】
0004460121.tif 000002
【図２】
0004460121.tif 000003
【図３】
0004460121.tif 000004
【図４】
0004460121.tif 000005